(57)【要約】【課題】使用者の腋のマッサージを行えるようにした、取外し可能に装着される空気式のマッサージ具を提供する。【解決手段】当該マッサージ具２は、腋下空気室１０ａを構成する腋用空気袋１０と、腋用空気袋１０を保持するサポータ１４とを備える。腋用空気袋１０は、マッサージ具２の装着時において、腋下空気室１０ａが使用者の腋の下に位置するように配置されている。腋用空気袋１０に加圧空気が供給されると、腋下空気室１０ａが腋に向かって膨張して腋を押圧する。【選択図】図４
2019042415.tif 000002
【特許請求の範囲】
【請求項１】
使用者に取り外し可能に装着される空気式のマッサージ具であって、
腋下空気室を構成する腋用空気袋と、
該腋下空気室が使用者の一方の腋の下に位置するように該腋用空気袋を保持するサポータと、
を備え、
該腋用空気袋に加圧空気が供給されたときに該腋下空気室が該一方の腋に向かって膨張して該一方の腋を押圧するようにされた、マッサージ具。
【請求項２】
該サポータが、該一方の腋から肩を廻る環状とされて該腋用空気袋を支持する環状支持部を有するようにされた、請求項１に記載のマッサージ具。
【請求項３】
該環状支持部の一部が弾性部材により形成されていて、該弾性部材の弾性力により該腋用空気袋の該腋下空気室が該一方の腋に押し付けられるようにした、請求項２に記載のマッサージ具。
【請求項４】
該サポータが、該腋用空気袋の該腋下空気室を下から支持する下部支持部を有し、加圧空気が供給されたときに該腋下空気室が該下部支持部から上方に向かって膨張するようにされた、請求項1乃至３のいずれか一項に記載のマッサージ具。
【請求項５】
該腋用空気袋から延びて該サポータに固定され、該腋下空気室が該一方の腋の下からずれないように該腋下空気室の位置を保持する保持部材をさらに備える、請求項１乃至４のいずれか一項に記載のマッサージ具。
【請求項６】
該サポータの胸側部分から使用者の他方の腋の下を廻って該サポータの背側部分に至るように該サポータに取り付けられた補助バンドをさらに備える、請求項１乃至５の何れか一項に記載のマッサージ具。
【請求項７】
該腋用空気袋が、該腋下空気室に連接して使用者の該一方の腋の下から胸側及び背側に延びる体側空気室と、該体側空気室から使用者の胸側を上方に延びる前方空気室と、該体側空気室から使用者の背側を上方に延びる後方空気室と、を有し、該腋下空気室、該体側空気室、該前方空気室、及び該後方空気室が連通している、請求項１乃至６のいずれか一項に記載のマッサージ具。
【請求項８】
該腋用空気袋の該前方空気室と該後方空気室とが、使用者の肩又は腕の周りで互いに部分的に重なり合うようにされた、請求項７に記載のマッサージ具。
【請求項９】
該サポータが使用者の腕に沿って筒状に延びる腕部を有しており、
該サポータの該腕部内で該腋用空気袋に隣接する位置から該腕部の長手方向に並べて配置された複数の腕用空気袋をさらに備える、請求項１乃至８のいずれか一項に記載のマッサージ具。
【請求項１０】
請求項９に記載のマッサージ具と、
該マッサージ具の該腋用空気袋及び各腕用空気袋に対して予め設定された順序で加圧空気を供給及び排出するようにされた制御装置と、
を備える、空気式マッサージ装置。
【発明の詳細な説明】
【技術分野】
【０００１】
本発明は、使用者に取り外し可能に装着される空気式のマッサージ具、及び該マッサージ具を備える空気式マッサージ装置に関する。
【背景技術】
【０００２】
例えば特許文献１に示されるように、複数の空気室を有するマッサージ具を脚に装着した状態で該マッサージ具の各空気室に対して加圧空気を繰り返し供給及び排出することで脚をマッサージするようにした空気式マッサージ装置が知られている。また、この空気式マッサージ装置におけるマッサージ具は、その全体形状を腕に合わせたものとすることによって、腕用のマッサージ具とすることもできる。このような腕用のマッサージ具は全体が筒状とされ、上腕から前腕及び掌までを覆うように装着されて腕全体をマッサージするようにされる。また、マッサージ具に設けられた各空気室は、装着状態において腕の周囲を一周する筒状となり、加圧空気によって膨張したときにその内径が小さくなって腕の全周を押圧する。このようなマッサージ具を備える空気式マッサージ装置においては、マッサージ具の各空気室が予め設定された順序で膨張及び収縮することにより、腕に対するマッサージを行なうようになっている。
【先行技術文献】
【特許文献】
【０００３】
【特許文献１】特開２０１６−７３３７１号公報
【発明の概要】
【発明が解決しようとする課題】
【０００４】
腕をマッサージする際に、腋をマッサージするとより大きなマッサージ効果が得られる場合があることが分かっている。しかしながら、上述のような従来の腕用のマッサージ具では、腋下部分に空気室が配置されておらず、腋をマッサージするような構成にはなっていなかった。また、仮に腋もマッサージしようとしてマッサージ具を腋に押し付けるように装着したとしても、空気室は単純な筒状となっているため窪んでいる腋はほとんど押圧されず、したがって腋をマッサージすることは実質的に不可能であった。また他に、使用者に取り外し可能に装着される空気式のマッサージ具において使用者の腋をマッサージするようにしたものはなかった。
【０００５】
そこで本発明は、使用者に取り外し可能に装着される空気式のマッサージ具であって使用者の腋をマッサージするようにしたマッサージ具、及びそのようなマッサージ具を備える空気式マッサージ装置を提供することを目的とする。
【課題を解決するための手段】
【０００６】
すなわち本発明は、
使用者に取り外し可能に装着される空気式のマッサージ具であって、
腋下空気室を構成する腋用空気袋と、
該腋下空気室が使用者の一方の腋の下に位置するように該腋用空気袋を保持するサポータと、
を備え、
該腋用空気袋に加圧空気が供給されたときに該腋下空気室が該一方の腋に向かって膨張して該一方の腋を押圧するようにされた、マッサージ具を提供する。
【０００７】
当該マッサージ具においては、腋用空気袋の腋下空気室が使用者の腋の下に位置するように配置されており、腋用空気袋に加圧空気を供給することにより腋下空気室が使用者の腋を押圧するようになっているため、腋のマッサージを効果的に行なうことが可能となる。
【０００８】
好ましくは、該サポータが、該一方の腋から肩を廻る環状とされて該腋用空気袋を支持する環状支持部を有するようにすることができる。
【０００９】
使用者の肩を廻る環状支持部によって腋用空気袋を支持するようになっているため、腋下空気室が膨張したときにサポータが腋用空気袋と共にずり下がってしまうことを防止することができる。これにより、腋下空気室が膨張したときに該腋下空気室が使用者の腋をより確実に押圧してより効果的な腋のマッサージを行なうことが可能となる。
【００１０】
好ましくは、該環状支持部の一部が弾性部材により形成されていて、該弾性部材の弾性力により該腋用空気袋の該腋下空気室が該一方の腋に押し付けられるようにすることができる。
【００１１】
また、該サポータが、該腋用空気袋の該腋下空気室を下から支持する下部支持部を有し、加圧空気が供給されたときに該腋下空気室が該下部支持部から上方に向かって膨張するようにすることができる。
【００１２】
さらには、該腋用空気袋から延びて該サポータに固定され、該腋下空気室が該一方の腋の下からずれないように該腋下空気室の位置を保持する保持部材をさらに備えるようにすることができる。
【００１３】
これらの構成により、腋下空気室が膨張したときに該腋下空気室が使用者の腋をより確実に押圧するようになり、より効果的な腋のマッサージを行なうことが可能となる。
【００１４】
好ましくは、該サポータの胸側部分から使用者の他方の腋の下を廻って該サポータの背側部分に至るように該サポータに取り付けられた補助バンドをさらに備えるようにすることができる。
【００１５】
具体的には、該腋用空気袋が、該腋下空気室に連接して使用者の該一方の腋の下から胸側及び背側に延びる体側空気室と、該体側空気室から使用者の胸側を上方に延びる前方空気室と、該体側空気室から使用者の背側を上方に延びる後方空気室と、を有し、該腋下空気室、該体側空気室、該前方空気室、及び該後方空気室が連通しているようにすることができる。
【００１６】
また、該腋用空気袋の該前方空気室と該後方空気室とが、使用者の肩又は腕の周りで互いに部分的に重なり合うようにすることができる。
【００１７】
このような構成により、腋に加えて肩周りのマッサージも行なうことが可能となる。また、前方空気室と後方空気室とが部分的に重なり合っているため、肩周りの全体を隙間無くマッサージすることが可能となる。
【００１８】
好ましくは、
該サポータが使用者の腕に沿って筒状に延びる腕部を有しており、
該サポータの該腕部内で該腋用空気袋に隣接する位置から該腕部の長手方向に並べて配置された複数の腕用空気袋をさらに備えるようにすることができる。
【００１９】
また本発明は、
上述のマッサージ具と、
該マッサージ具の該腋用空気袋及び各腕用空気袋に対して予め設定された順序で加圧空気を供給及び排出するようにされた制御装置と、
を備える、空気式マッサージ装置を提供する。
【００２０】
以下、本発明に係る空気式マッサージ装置の実施形態を添付図面に基づき説明する。
【図面の簡単な説明】
【００２１】
【図１】本発明の一実施形態に係る空気式マッサージ装置の使用状態における全体図である。
【図２】図１の空気式マッサージ装置のマッサージ具の斜め上方からの斜視図である。
【図３】マッサージ具から取り出された腋用空気袋の平面図である。
【図４】図１の空気式マッサージ装置のマッサージ具の腋部周辺の拡大図である。
【図５】マッサージ具を腕を挿入する側から見た図である。なお、腋用空気袋の前方空気室及び後方空気室は省略されている。
【発明を実施するための形態】
【００２２】
本発明の一実施形態に係る空気式マッサージ装置１は、図１に示すように、使用者の腕から胸及び背中の一部までを覆うようにして取り外し可能に装着される空気式のマッサージ具２と、マッサージ具２の各空気袋１０、１２−１〜１２−４に対する加圧空気の供給及び排出を制御する制御装置３と、を備える。制御装置３は、予め設定された順序で各空気袋１０、１２−１〜１２−４に対する加圧空気の供給及び排出を行なって、各空気袋１０、１２−１〜１２−４を膨張及び収縮させるようになっている。膨張した各空気袋１０、１２−１〜１２−４が対応する身体の部分を周囲から押圧することによりマッサージが行なわれる。
【００２３】
マッサージ具２は、複数の空気袋１０、１２−１〜１２−４と、各空気袋１０、１２−１〜１２−４を保持するサポータ１４と、サポータ１４を使用者の身体に補助的に固定するための補助バンド１６とを備える。サポータ１４は、使用者の一方の腋から肩を廻る環状とされ使用者の肩に載るようにされた環状支持部１８と、環状支持部１８から使用者の胸側に延びる胸側部分２０と、同様に背側に延びる背側部分２２と、環状支持部１８から使用者の腕に沿って筒状に延びる腕部２４と、を有する。図２に示すように、サポータ１４の腕部２４には腕部２４の長手方向に沿ってスライドファスナ２６が設けられており、このスライドファスナ２６を外すと腕部２４は平面状に展開されるようになっている。
【００２４】
補助バンド１６は、サポータ１４の胸側部分２０から使用者の他方の腋の下を廻ってサポータ１４の背側部分２２に至るようにサポータ１４に取り付けられており、その長さを自由に調節できるようになっている。サポータ１４を装着した後に補助バンド１６の長さを縮めることにより、サポータ１４が身体にしっかりと固定されてマッサージ中にマッサージ具２の位置がずれないようにできる。
【００２５】
複数の空気袋１０、１２−１〜１２−４は、１つの腋用空気袋１０と４つの腕用空気袋１２−１〜１２−４からなる。腋用空気袋１０は、装着時に使用者の腋周辺に位置するように、主としてサポータ１４の環状支持部１８において保持されている。腕用空気袋１２−１〜１２−４は、サポータ１４の腕部２４において腋用空気袋１０に隣接する位置から腕部２４の長手方向に並べて配置されている。また、各空気袋１０、１２−１〜１２−４は隣接する空気袋と長手方向で一部が互いに重なるようにして配置されている。
【００２６】
各空気袋１０、１２−１〜１２−４はサポータ１４から取り外すことができるようになっている。特に腋用空気袋１０は、取り外した状態では図３に示すような平面形状を有する。腋用空気袋１０は、２枚のシート部材をその縁で溶着して張り合わせることにより袋状としたものである。この腋用空気袋１０は、腋下空気室１０ａと、腋下空気室１０ａの下側に連接して図で見て左右に延びる体側空気室１０ｂと、体側空気室１０ｂの左側部分１０ｂ−１から上方に延びる前方空気室１０ｃと、体側空気室１０ｂの右側部分１０ｂ−２から上方に延びる後方空気室１０ｄと、を構成している。前方空気室１０ｃには、腋用空気袋１０に加圧空気を供給するための空気供給口２８が設けられている。これら腋下空気室１０ａ、体側空気室１０ｂ、前方空気室１０ｃ、及び後方空気室１０ｄは連通しているため、前方空気室１０ｃに設けられた空気供給口２８から加圧空気を供給することにより、全ての空気室１０ａ〜１０ｄに加圧空気が供給される。前方空気室１０ｃの中央付近には、２枚のシート部材を溶着して形成した膨張制限部３０が形成されている。この膨張制限部３０は、前方空気室１０ｃの厚み方向（図で見て奥行き方向）での膨らみが必要以上に大きくならないように、その膨張量を制限するためのものである。前方空気室１０ｃよりも長い後方空気室１０ｄには同様な膨張制限部３０が３つ形成されている。
【００２７】
腋用空気袋１０は、マッサージ具２が装着された状態において、図４に示すような形状となる。すなわち、腋下空気室１０ａが使用者の一方の腋の下に位置し、体側空気室１０ｂが腋下空気室１０ａから使用者の体側に沿って胸側及び背側に延び、前方空気室１０ｃが体側空気室１０ｂの胸側に位置する左側部分１０ｂ−１から使用者の胸側を上方に延びて使用者の肩及び腕の周囲にまで延び、そして後方空気室１０ｄが図示はされていないが体側空気室１０ｂの背側に位置する右側部分１０ｂ−２から使用者の背側を上方に延びて、使用者の肩及び腕の周囲にまで延びるようになる。また、前方空気室１０ｃと後方空気室１０ｄとは、使用者の肩及び腕の周りで互いに部分的に重なり合うようになる。体側空気室１０ｂと前方空気室１０ｃ及び後方空気室１０ｄとの間にはそれぞれ切込部３２が形成されているが、これは腋用空気袋１０が上述のように使用者の腋及び肩周りの身体形状に合わせて立体的に配置されるときに、前方空気室１０ｃ及び後方空気室１０ｄの部分が体側空気室１０ｂの部分に対して曲がりやすくして腋用空気袋１０に無理な応力が加わらないようにするためである。腋用空気袋１０の腋下空気室１０ａを構成する部分には、図３に示すように、２つの袋保持ゴムバンド（保持部材）３４が取り付けられている。これら袋保持ゴムバンド３４は、図５に示すように、その端部がサポータ１４の内側の面ファスナ３６に固定されている。この袋保持ゴムバンド３４によって、腋下空気室１０ａは上方に向かって延びた位置に保持されて、マッサージ具２を装着したときに腋下空気室１０ａが常に使用者の腋の下の適切な位置となるようにしている。
【００２８】
サポータ１４はさらに、図５に示すように、腋用空気袋１０の体側空気室１０ｂと腋下空気室１０ａとを収容する収容部３８を有する。この収容部３８は体側空気室１０ｂを収容する部分が袋状になっており、また収容部３８の下端は体側空気室１０ｂを下側から支持する下部支持部４０となっている。下部支持部４０により体側空気室１０ｂを下から支持することにより腋下空気室１０ａを間接的に支持して、腋用空気袋１０に加圧空気が供給されて該腋用空気袋１０が膨張したときに、腋下空気室１０ａが下方に移動することなく上方に向かって膨張するようにしている。なお、収容部３８の腋下空気室１０ａを覆っている覆い部分４１は、腋下空気室１０ａの上方への膨張を妨げないように、十分な余裕を持った大きさとされている。したがって、腋下空気室１０ａの膨張及び収縮時の形状変化は収容部３８によっては阻害されない。
【００２９】
サポータ１４の環状支持部１８のうちの使用者の肩の上に載る部分は、図５に示すように、外側の肩掛布バンド４２と内側の肩掛ゴムバンド（弾性部材）４４とにより形成されている。肩掛ゴムバンド４４は、マッサージ具２が装着された状態において、使用者の肩の上で通常は伸張した状態となり環状支持部１８を縮径する方向での弾性力を生じる。この弾性力によって腋用空気袋１０の腋下空気室１０ａは使用者の腋に押し付けられるようになる。なお本実施形態においては、肩掛ゴムバンド４４はサポータ１４の内側の面ファスナ３６に取り外し可能に取り付けられており、使用者の体格に合わせてその取付位置を調節することができるようになっている。肩掛布バンド４２は、肩掛ゴムバンド４４が大きく伸張した際に使用者の肩に係合して、肩掛ゴムバンド４４がそれ以上伸張するのを防止する。
【００３０】
当該マッサージ具２を装着した状態においては、図４に示すように、腋用空気袋１０の腋下空気室１０ａが使用者の腋に向かって突出した状態となる。このとき、上述のように伸張した肩掛ゴムバンド４４の弾性力により、サポータ１４の特に環状支持部１８には縮径方向での力が作用して、腋下空気室１０ａが使用者の腋に当たるようになる。さらには袋保持ゴムバンド３４によって腋下空気室１０ａの位置が装着時にずれないようになっていると共に、袋保持ゴムバンド３４の弾性力によっても腋下空気室１０ａが使用者の腋に押し付けられるようになる。このようにして腋下空気室１０ａが腋の下の適切な位置に保持されることによって、腋用空気袋１０に加圧空気を供給したときに腋下空気室１０ａは腋に向かって上方に膨張して腋を確実に押圧するようになる。
【００３１】
制御装置３には、各空気袋１０、１２−１〜１２−４に対する加圧空気の供給及び排気の順序、加圧空気の圧力、空気室の膨張状態を維持する時間などを設定することができる。典型的な設定では、制御装置３は腕用空気袋１２−１〜１２−４のうちの手先側の腕用空気袋１２−１から順に、腕用空気袋１２−２、腕用空気袋１２−３、腕用空気袋１２−４、さらに腋用空気袋１０の順番で加圧空気を供給して、全空気袋１０、１２−１〜１２−４が所定の設定圧力になってから数秒間その状態を維持し、次いで全空気袋１０、１２−１〜１２−４から同時に加圧空気を排気する。これを１サイクルとして、設定された時間（例えば３０分）の間だけこれを繰り返すようになっている。
【００３２】
このように、当該空気式マッサージ装置１においては、マッサージ具２の腋用空気袋１０が、使用者の腋の下に位置するように配置された腋下空気室１０ａを構成している。この腋下空気室１０ａは腋に向かって膨張するようになっているため、腋に対するマッサージを効果的に行なうことができる。また、腋下空気室１０ａが装着時に使用者の腋の下に適切に位置するように袋保持ゴムバンド３４で保持されているため、腋下空気室１０ａによる腋の押圧をより確実に行なうことが可能となる。
【００３３】
なお、当該マッサージ具２は右腕に装着することもできる。その場合には、左腕に装着していたときのサポータ１４の胸側部分２０が使用者の背側に位置し、背側部分２２が使用者の胸側に位置することになる。
【００３４】
以上に本発明の実施形態について説明をしたが、本発明はこの実施形態に限定されるものではない。例えば、上記実施形態においては、腋用空気袋１０が腋だけではなく肩や腕の一部も覆って、腋に加えて肩や腕の一部もマッサージするような形状となっているが、腋下空気室１０ａの部分のみ有するような他の形状としてもよい。また、腕用空気袋の数は任意に変更可能である。さらには、マッサージ具２が腕用空気袋１２−１〜１２−４を備えず腋用空気袋１０だけを備えるようにしてもよい。この場合、腋用空気袋１０だけを備える本発明のマッサージ具を単独で使用して腋やその周辺だけをマッサージすることもできるし、従来の腕用のマッサージ具と組み合わせて上記実施形態のように腕から腋にかけてのマッサージを行なうようにして使用することもできる。
【符号の説明】
【００３５】
１  空気式マッサージ装置
２  マッサージ具
３  制御装置
１０  腋用空気袋
１０ａ  腋下空気室
１０ｂ  体側空気室
１０ｂ−１  左側部分
１０ｂ−２  右側部分
１０ｃ  前方空気室
１０ｄ  後方空気室
１２−１〜１２−４  腕用空気袋
１４  サポータ
１６  補助バンド
１８  環状支持部
２０  胸側部分
２２  背側部分
２４  腕部
２６  スライドファスナ
２８  空気供給口
３０  膨張制限部
３２  切込部
３４  袋保持ゴムバンド（保持部材）
３６  面ファスナ
３８  収容部
４０  下部支持部
４１  覆い部分
４２  肩掛布バンド
４４  肩掛ゴムバンド（弾性部材）
【図１】
2019042415.tif 000003
【図２】
2019042415.tif 000004
【図３】
2019042415.tif 000005
【図４】
2019042415.tif 000006
【図５】
2019042415.tif 000007